(57)【特許請求の範囲】
【請求項１】
ホログラム形成層と、網点または万線で隠しパターンが構成された隠しパターン形成層と、
を具備し、
前記隠しパターン形成層は、前記隠しパターンの周囲に、当該隠しパターンと半周期ずれた網点又は万線で構成されるパターンを有する縁取りパターンが設けられることを特徴とする画像形成体。
【請求項２】
前記ホログラム形成層は、レリーフホログラム、体積型ホログラム又は、回折格子であることを特徴とする請求項１記載の画像形成体。
【請求項３】
請求項１記載の画像形成体の隠しパターンと干渉するような確認パターンを有することを特徴とする確認具。
【請求項４】
請求項１記載の画像形成体に請求項３記載の確認具を重ね合わせ、モアレパターンの発生を認識する確認方法。
【請求項５】
ホログラム形成層と、網点又は万線で確認パターンが構成された確認パターン形成層と、を備える画像形成体の確認パターンと干渉するような網点または万線で構成された隠しパターンを有する確認具であって、
前記隠しパターンの周囲に、当該隠しパターンと半周期ずれた網点又は万線で構成されるパターンを有する縁取りパターンが設けられることを特徴とする確認具。
【請求項６】
前記ホログラム形成層は、レリーフホログラム、体積型ホログラム又は、回折格子であることを特徴とする請求項５記載の確認具。
【請求項７】
請求項５記載の画像形成体に請求項５記載の確認具を重ね合わせ、モアレパターンの発生を確認することを特徴とする確認方法。
【発明の詳細な説明】
【０００１】
【発明の属する技術分野】
本発明は画像形成体、確認具、および確認方法に関するものである。
【０００２】
【従来の技術】
従来、金券等を複写機で複写した偽造物を抑制するために、印刷物中に複写機の解像力を超えた大きさの網点で構成された領域を設けることにより、複写機を利用して偽造物を見分けるコピー牽制方式が用いられてきた。
しかし、カラー複写機の技術進歩により、カラー複写機の解像度が増し、複写機の解像力を超えた大きな網点を用いる方式では、そのコピー牽制効果を十分上げることが困難となっている。
【０００３】
そのため本出願人は、万線状パターンで隠しパターンを印刷した印刷物を作成し、その印刷物が複写物の場合、透明な判別具を被せても、隠しパターンが現れないことで複写物を見分ける複写物判別法に関する特許（特願平８−２５７９６１、特願平８−３４０８５０ )を既に出願中である。
また、近年、意匠性に優れ、本体の複製が難しく、セキュリティの高いホログラムがカラーコピー対策として用いられている。
【０００４】
【発明が解決しょうとする課題】
しかしながら、隠しパターン入り印刷物は、隠しパターンが入っていることは分からないが、入っていることが分かれば、通常の印刷技術を有す偽造者であれば、比較的安易に偽造することができる。
又、印刷物の解像度を高める作業も、安定した生産性の確保の面で困難である。更に、ホログラムについては、ホログラム自体の絵柄は、絵柄のみの確認で、セキュリティアップ、機能性の向上、付加価値が求められている。
【０００５】
本発明は、このような問題に鑑みてなされたもので、その目的とするところは、偽造防止が行なえ、セキュリティが高く、装飾性に優れた画像形成体、確認具、および確認方法を提供することにある。
【０００６】
【課題を解決するための手段】
前述した目的を達成するために第１の発明は、ホログラム形成層と、網点または万線で隠しパターンが構成された隠しパターン形成層と、を具備し、前記隠しパターン形成層は、前記隠しパターンの周囲に、当該隠しパターンと半周期ずれた網点又は万線で構成されるパターンを有する縁取りパターンが設けられることを特徴とする画像形成体である。第２の発明は、前記画像形成体の隠しパターンと干渉するような確認パターンを有することを特徴とする確認具である。第３の発明は、画像形成体に確認具を重ね合わせ、モアレパターンの発生を認識する確認方法である。
【０００７】
また、第４の発明は、ホログラム形成層と、網点又は万線で確認パターンが構成された確認パターン形成層と、を具備する画像形成体の確認パターンと干渉するような網点または万線で構成された隠しパターンを有する確認具であって、前記隠しパターンの周囲に、当該隠しパターンと半周期ずれた網点又は万線で構成されるパターンを有する縁取りパターンが設けられることを特徴とする確認具である。第５の発明は、第４の発明記載の画像形成体に第４の発明である確認具を重ね合わせ、モアレパターンの発生を確認することを特徴とする確認方法である。
【０００８】
【発明の実施の形態】
以下、本発明の実施の形態について説明する。
図１は本発明の第１の実施の形態を示す説明図である。第１の実施の形態では、確認具として、確認パターン形成体１を用いる。画像形成体３は、隠しパターン形成層５を有する。画像形成体３を単体で見ると、ホログラム画像が表示され、隠しパターンがあることは分からない。画像形成体３に確認パターン形成体１を重ねると、隠しパターン形成層５のモアレパターンが確認できる。
【０００９】
隠しパターン形成層５に代えて、隠しパターン形成層５の複写物を用いて作成された画像形成体に確認パターン形成体１を重ねても、モアレパターンは検出できない。このように、モアレパターン発生の有無により、オリジナルの画像形成体であるか、又は複写した隠しパターン形成層を使用した画像形成体であるかを判断することができる。
【００１０】
図２は、確認パターン形成体１と画像形成体３の構成を示す図である。画像形成体３は、隠しパターン形成層５の上にホログラム形成層９を粘着層７を介して積層させ、さらに、ホログラム形成層９の上を保護層１１で覆って構成される。
【００１１】
また、画像形成体３の構成をホログラム形成層９の上に隠しパターン形成層５を施すこともできるが、ホログラムの明るさを確保するためには、図２に示すような隠しパターン形成層５の上にホログラム形成層９があるほうがよい。
画像形成体３は、ＩＤカード、クレジットカード等のカード、証明書、定期券、商品券、ＩＤ証等の金券類の印刷物等に用いられる。
【００１２】
ここで、確認パターン形成体１および隠しパターン形成層５の製造方法は、印刷にて作成する方法と製版フィルムを利用する方法がある。
印刷にて作成する場合は、安く、大量に作成することができるが、安定して高解像度のパターンを作成するすることができないため、隠しパターンが入っていることが比較的分かり易い。しかしながら高精細印刷等の高解像度の印刷を施すこともできる。
【００１３】
確認パターン形成体１および隠しパターン形成層５を印刷で作成する場合、色は任意に選択が可能となるが、コントラストが高い方が隠しパターンがよりよく確認できることから、濃い色が望ましく、墨色が最適である。
逆に、隠しパターン形成層５が、ホログラム形成層９の上にくる場合、濃い色で作成されているとホログラム自体が暗くなる。
【００１４】
本実施の形態では、確認パターン形成体１は、東レ製Ｔ−６０：厚さ１８８μｍの透明フィルムを用いる。
ホログラム形成層９は、ホログラム用フォトポリマー感材（デュポン製のＯｍｎｉＤｅｘ７０６）にアルゴンレーザーを用いて体積型のホログラム画像を撮影し、干渉縞膨潤フィルム（デュポン製のＣＴＦ７５）を密着させて、加熱処理を施して作製する。
【００１５】
隠しパターン形成層５は、厚さ７５μｍの透明フィルムで、１００μｍの万線で構成されている。
保護層１１は、ホログラム形成層９の表面保護のためのもので、接着材付き厚さ５０μｍのペットフィルム（リンテック製のフジクリア）をホログラム形成層９の表面にラミネートして作製される。
【００１６】
粘着層７は、ホログラム形成層９と隠しパターン形成層５を貼り合わせるために、ホログラム層の裏面に、両面接着フィルム（リンテック社のＰＥＴ５０（Ｗ）ＰＬシンＰＥＴ３８）をラミネートしたものである。
【００１７】
製版フィルムを利用する方法では、レーザーで描画し、現像するために、高解像度で安定した印刷物の製造が可能となる。
【００１８】
図３は、画像形成体３の隠しパターン形成層５に設けられた確認領域２５の拡大図である。確認領域２５は、確認パターン部２７、パターン縁取り部２９、背景領域３１を有する。
確認領域２５を含む隠しパターン形成層５は、同一網％濃度を持つ網点もしくは万線にて構成されるため、確認パターン部２７に隠しパターンがあることは分からない。
【００１９】
図４は、確認領域２５内の領域３３を拡大した図である。確認パターン部２７は、右４５度上がりの白と黒の１００μｍの等間隔ストライプの繰り返しである規則的なパターンを有する。パターン縁取り部２９は確認パターン部２７の周囲に設けられ、確認パターン部２７のパターンと半周期ずれたパターンを有する。
【００２０】
背景領域３１は確認パターン部２７およびパターン縁取り部２９に対して、見た目で判断できないほどの色と濃度を有し、確認パターン部２７またはパターン縁取り部２９のパターンと同一かあるいは任意のパターンを有する。
画像形成体３に確認パターン形成体１を載せると、Ａという文字が見えるが、画像形成体３自体を肉眼で見ても、Ａという文字を認識することは困難である。
【００２１】
図５は、図３の確認領域２５と同様なパターンを持ち、文字Ａより単純化されたデザインの確認領域４１の拡大図である。確認領域４１は、確認パターン部４７、パターン縁取り部４７、背景領域４９を有する。
【００２２】
ここで、確認パターン部４５は、右４５度上がりの白と黒の１００μｍの等間隔ストライプの繰り返しである規則的なパターンを有する。パターン縁取り部４７は確認パターン部４５の周囲に設けられ、確認パターン部４５のパターンと半周期ずれたパターンを有する。パターン縁取り部４７に関しては、確認具を載せた場合のモアレパターンの鮮明度を考えて設けることが望ましいが、取り付けなくても構わない。
【００２３】
背景領域４９は、確認パターン部４５およびパターン縁取り部４７とほぼ同じ濃度を有する。ここでは、左４５度上がりのストライプを用いたが、ストライプの角度と色は、自由に決められる。
【００２４】
図６は、確認パターン形成体１の拡大図である。確認パターン形成体１は、光を透過するフィルム等からなり、確認パターン形成体１は確認パターン部４５のストライプと同様なストライプで構成され、確認パターン部４５およびパターン縁取り部４７と干渉し、背景領域４９と干渉しない。
【００２５】
図７は、確認領域４１上に、確認パターン形成体１を載せた場合の説明図であり、確認パターン部４５は、確認パターン形成体１のストライプと干渉し、完全に黒に成る。また、パターン縁取り部４７は、確認パターン形成体１のストライプと干渉し、背景領域４９よりも明るいグレーに成る。背景領域４９は、確認パターン形成体１と干渉しないため、グレーレベルは変化しない。
従って、白の縁取りのある黒のモアレパターンが浮かび上がる。図４の場合には、白の縁取りのある黒色の文字Ａが浮かび上がる。
【００２６】
図８は、図７の場合より半周期ずらして、確認領域４１上に、確認パターン形成体１を載せた場合の説明図を示しており、確認パターン部４５は、確認パターン形成体１のストライプと干渉し、背景領域４９よりも明るいグレーに成る。また、パターン縁取り部４７は、確認パターン形成体１のストライプと干渉し、完全に黒に成る。背景領域４９は、確認パターン形成体１と干渉しないため、グレーレベルは変化しない。
従って、黒の縁取りのある白色のモアレパターンが浮かび上がる。図４の場合には、黒の縁取りのある白色の文字Ａが浮かび上がる。
【００２７】
図９は、画像形成体３をＩＤカード５１に設けた例を示す図である。ＩＤカード５１には、画像形成体３ａ、顔写真５３等が設けられる。この状態で、ＩＤカード５１を肉眼で見ると、画像形成体３ａのホログラム画像を確認することができる。
【００２８】
図１０は、図９のＩＤカード５１に確認パターン形成体１を載せた図である。図９で画像形成体３ａのホログラム画像が確認でき、図１０の状態で隠しパターン文字Ａを確認できたＩＤカード５１は、オリジナルなＩＤカード５１であることが証明される。
しかし、図９でホログラム画像を確認できても、図１０の状態で隠しパターン文字Ａを確認できないＩＤカード５１があれば、複写物であることが分かる。
【００２９】
このように、本実施の形態によれば確認具として確認パターン形成体１を用いることにより、オリジナルのホログラムとその絵柄を複写して作成された物とを簡単な方法でチェックすることができる。
【００３０】
尚、本実施の形態では、確認パターン形成体１と隠しパターン形成層５には、万線を用いたが、１色の網点を用いてもよい。
【００３１】
また、ホログラム形成層９としては、レリーフ型ホログラム、あるいは、フィルムの厚み方向に干渉縞が記録されている体積位相型ホログラムを用いる。また、レーザー光にて撮影したホログラムだけでなく、電子線描画等による回折格子でもよい。
【００３２】
ホログラムに体積位相型ホログラムを用いる場合、ホログラム画像が見える範囲をある方向のみに限定すると、隠しパターンが見えやすくなるため、ホログラムの回折光の方向をある範囲に限定した方が望ましい。
また、隠しパターン表示時に、隠しパターンを見えやすくするために、ホログラム形成層９は透明度の高いものが望ましい。
【００３３】
次に第２の実施の形態について説明する。
図１１は、第２の実施の形態における確認具としての隠しパターン形成体６１と画像形成体６３の構成を示す図である。第２の実施の形態では、画像形成体６３は、確認パターン形成層６５の上にホログラム形成層６９を粘着層６７を介して積層させ、さらに、ホログラム形成層６９の上を保護層７１で覆って構成される。ここで、確認パターン形成層６５には、第１の実施の形態の確認パターン形成体１のパターンが形成され、隠しパターン形成体６１には、第１の実施の形態の隠しパターン形成層５のパターンが形成される。
【００３４】
第１の実施の形態と同様に、画像形成体６３を単体で見ると、ホログラム画像が表示される。確認パターンがあることは分からない。また、隠しパターン形成体６１を単体で見ても、隠しパターンがあることは分からない。画像形成体６３に隠しパターン形成体６１を重ねると、隠しパターン形成体６１のモアレパターンが確認できる。
【００３５】
また、ホログラム形成層６９の上に確認パターン形成体６５を施すこともできるが、ホログラムの明るさを確保するためには、図１１に示すようなホログラム形成層６９の下に確認パターン形成体６５があるほうがよい。
【００３６】
このように、第２の実施の形態によっても、確認具として隠しパターン形成体６１を用いることにより、オリジナルのホログラムとその絵柄を複写して作成された物とを簡単な方法でチェックすることができる。
また、前述した第１および第２の実施の形態にかかる画像形成体は、装飾性が高く、おもちゃ、ノベルティ、プレミアム、包装材料、書籍等に用いることができる。
【００３７】
【発明の効果】
以上説明したように、本発明によれば、偽造防止が行なえ、セキュリティの高く、装飾性に優れた画像形成体、確認具、および確認方法を提供することできる。
【図面の簡単な説明】
【図１】本発明の第１の実施の形態を示す説明図
【図２】第１の実施の形態における確認パターン形成体１と画像形成体３の構成を示す図
【図３】画像形成体３の隠しパターン形成層５に設けられた確認領域２５の拡大図
【図４】確認領域２５内の領域３３を拡大した図
【図５】図３の確認領域２５と同様なパターンを持ち、文字Ａより単純化されたデザインの確認領域４１の拡大図
【図６】確認パターン形成体１の拡大図
【図７】確認領域４１上に、確認パターン形成体１を載せた場合の説明図
【図８】図７の場合より半周期ずらして、確認領域４１上に、確認パターン形成体１を載せた場合の説明図
【図９】画像形成体３をＩＤカード５１に設けた例を示す図
【図１０】図９のＩＤカード５１に確認パターン形成体を載せた図
【図１１】第２の実施の形態における隠しパターン形成体６１と画像形成体６３の構成を示す図
【符号の説明】
１………確認パターン形成体
３、３ａ、６３………画像形成体
５………隠しパターン形成層
９、６９………ホログラム形成層
１１、７１………保護層
６１………隠しパターン形成体
６５………確認パターン形成層
【図１】
0003961105.tif 000002
【図２】
0003961105.tif 000003
【図３】
0003961105.tif 000004
【図４】
0003961105.tif 000005
【図５】
0003961105.tif 000006
【図６】
0003961105.tif 000007
【図７】
0003961105.tif 000008
【図８】
0003961105.tif 000009
【図９】
0003961105.tif 000010
【図１０】
0003961105.tif 000011
【図１１】
0003961105.tif 000012